(57)【要約】【課題】比較的簡単な装置で、容易に警報装置の盗難や破損を防止することができる盗難防止装置を提供する。【解決手段】ダムの状態を監視し所定の場合に警報を発信する監視局１０と、監視局１０の警報を受信して周辺地域に警報の発令を知らせる警報局２０を有するダム管理装置１において、警報局２０は、少なくとも監視局１０から警報を受信する警報局受信機２２と、警報局２０の状態を検知し、表示する警報局表示・検知装置２３と、警報局２０から監視局１０へ警報を発信する警報局送信機２１を有する。警報局２０は、警報局２０の異常状態を警報局表示・検知装置２３で検知して、周辺地域に異常を知らせると同時に、監視局１０へ警報局送信機２１から警報局１０の異常状態の警報を送信するダム管理装置１の盗難防止警報装置である。【選択図】図１
2007213374.tif 000002
【特許請求の範囲】
【請求項１】
ダムの状態を監視し所定の場合に警報を発信する監視局と、該監視局の警報を受信して周辺地域に警報の発令を知らせる警報局を有するダム管理装置において、
上記警報局は、少なくとも上記監視局から上記警報を受信する警報局受信機と、上記警報局の状態を検知し、表示する警報局表示・検知装置と、上記警報局から上記監視局へ被制御状態を発信する警報局送信機を有するとともに、上記警報局の異常状態を上記警報局表示・検知装置で検知して、周辺地域に異常を知らせると同時に、上記監視局へ上記警報局送信機から上記警報局の異常状態の警報を送信することを特徴とするダム管理装置の盗難防止警報装置。
【請求項２】
上記警報局の異常状態の検知は、上記警報局を構成するそれぞれの装置と上記警報局表示・検知装置とを警報ケーブルで接続し、該警報ケーブルは、上記警報局を構成するそれぞれの装置と上記警報局表示・検知装置とを常時通電状態で接続する切断検知回路と、上記警報局を構成するそれぞれの装置と上記警報局表示・検知装置とを非通電状態で接続する短絡検知回路の２回路を有し、そのいずれかの回路で異常が生じた場合に、異常を検知するものである請求項１に記載のダム管理装置の盗難防止警報装置。
【請求項３】
上記監視局と上記警報局との交信は、無線通信で行われる請求項１または請求項２に記載のダム管理装置の盗難防止警報装置。
【請求項４】
上記警報局の周辺地域に上記警報局の異常を知らせる方法は、警報音の発生とセンサーライトの点灯である請求項１乃至請求項３のいずれかに記載のダム管理装置の盗難防止警報装置。
【請求項５】
上記警報局から上記監視局へ異常が発信された場合は、上記監視局は、上記監視局警報表示装置が、警報音の吹鳴と、異常ランプの点灯と、表示画面に表示及び警報内容を紙に印字する警告の少なくとも２つ以上の警告を行なう請求項１乃至請求項４のいずれかに記載のダム管理装置の盗難防止警報装置。
【請求項６】
上記警報局から上記監視局への異常の発信は、複数回自動的に発信される請求項１乃至請求項５のいずれかに記載のダム管理装置の盗難防止警報装置。
【請求項７】
上記警報局から上記監視局へ異常が発信された場合に、所定時間内に上記監視局で状態確認の処置が取られない場合は、上記監視局から外部に自動的に警報を発信する請求項１乃至請求項６のいずれかに記載のダム管理装置の盗難防止警報装置。
【請求項８】
上記警報局の異常状態の検知は、上記警報局内に人が接近または進入したときに検知する請求項１乃至請求項７のいずれかに記載のダム管理装置の盗難防止警報装置。
【請求項９】
上記警報局の異常状態の検知は、上記警報局の扉が開いたときに検知する請求項１乃至請求項８のいずれかに記載のダム管理装置の盗難防止警報装置。
【請求項１０】
上記警報局の異常状態の検知は、外部から上記警報局への送電が停止したときに検知する請求項１乃至請求項９のいずれかに記載のダム管理装置の盗難防止警報装置。
【発明の詳細な説明】
【技術分野】
【０００１】
各種のダムにおいては放流警報等を所定の地域に知らせるために、ダムが設けられている河川の流域に警報局を設けて、その警報局にダムサイトに設けた監視局から警報を送信している。この警報局の盗難等を防止するためのダム管理装置の盗難防止警報装置に関するものである。
【背景技術】
【０００２】
河川に設けられた各種のダムは、ダムの水位、流入水量、放水量、降雨量等を検出して、所定量を超えた場合は、ダムサイト等に設けられた監視員が判断して、放水量を増加させる場合がある。
この場合は、ダムの上流においては、降雨量を観測し、下流においては、放水等により急激に水量や水位が増加するため、河川内にいる地域住民、釣り人やキャンパーを避難させる必要がある。このため、ダムの状態を監視する監視装置と、監視装置からの通報を受けて所定の地域に警報を伝達する警報装置が河川の流域に多数設けられたダム管理装置が設置されている（例えば、特許文献１参照。）。
【０００３】
この監視装置が設置されている場所は、監視員が常駐していることが多いため盗難や破損は少なく、また盗難や破損が生じてもすぐに発見され対応が可能である。
しかしながら、警報装置は、河川の流域に広く設置されているため、無人であり、監視の目も十分にゆきとどかせることは困難である。また、広域に点在し、尚且つ太陽電池や、無線装置等の高価な機器を含んでいる。そのため、この警報装置は盗難や破損が生じることが少なくない。
【０００４】
この警報装置に盗難や破損が生じると、監視装置から発信された警報が、その河川の流域にいる人々に伝達されることができなくなり、重大な問題を生じる恐れがある。
一方、上記のようにこの警報装置は広域に点在しており、盗難や破損の有無を常時監視するには、多くの人手と多額の経費を必要としていた。
また、このような盗難は他の場所でも発生し、その防止装置も考案されている。例えば建設現場に置かれた資材の盗難を防止するため、その資財に磁石付電線を取付け、その磁石付電線が外れた場合は、センサーが働き、警告信号を携帯電話に送信する盗難防止警報装置も提案されている。しかしながら、ダムの警報装置では、それぞれが遠く離れて、携帯電話も通じない場所もあり、また、人目にもつかないため盗難が容易であり、簡単な電線では容易に警告信号を発生させることなく外されてしまう場合が多い（例えば、特許文献２参照。）。
【特許文献１】特開２００３−２３４８４９号公報
【特許文献２】特開２００２−３７３３９０号公報
【発明の開示】
【発明が解決しようとする課題】
【０００５】
このため、本発明では、比較的簡単な装置で、容易に警報装置の盗難や破損を防止することができる盗難防止装置を提供する。
【課題を解決するための手段】
【０００６】
上記課題を解決するための請求項１の本発明は、ダムの状態を監視し所定の場合に警報を発信する監視局と、該監視局の警報を受信して周辺地域に警報の発令を知らせる警報局を有するダム管理装置において、警報局は、少なくとも監視局から警報を受信する警報局受信機と、警報局の状態を検知し、表示する警報局表示・検知装置と、警報局から監視局へ警報を発信する警報局送信機を有し、警報局は、警報局の異常状態を警報局表示・検知装置で検知して、周辺地域に異常を知らせると同時に、監視局へ警報局送信機から警報局の異常状態の警報を送信するダム管理装置の盗難防止警報装置である。
【０００７】
請求項１の本発明では、ダム管理装置において、警報局は、少なくとも監視局から警報を受信する警報局受信機と、警報局の状態を検知し、表示する警報局表示・検知装置と、警報局から監視局へ警報を発信する警報局送信機を有している。このため、ダムの放水等の所定の警報を、監視局から離れた警報局を経由してダムの流域の住民等に的確に通報することができるとともに、警報局から監視局への情報をタイムリーに的確に通報することができる。
【０００８】
警報局は、警報局の異常状態を警報局表示・検知装置で検知して、周辺地域に異常を知らせることができるため、警報局の部品の盗難、作動不良等の異常状態を警報局自体で検知して直ちに周辺地域に知らせることができ、部品の盗難を防止して、作動不良の早期回復をすることができる。
監視局へ警報局送信機から警報局の異常状態の警報を送信することができるため、警報局から離れた監視局で、警報局の状態を監視することができるとともに、警報局の異常状態を直ちに知ることができ、異常状態の対応を直ちに採ることができる。
【０００９】
請求項２の本発明は、警報局の異常状態の検知は、警報局を構成するそれぞれの装置と警報局表示・検知装置とを警報ケーブルで接続し、警報ケーブルは、警報局を構成するそれぞれの装置と警報局表示・検知装置とを常時通電状態で接続する切断検知回路と、警報局を構成するそれぞれの装置と警報局表示・検知装置とを非通電状態で接続する短絡検知回路の２回路を有し、そのいずれかの回路で異常が生じた場合に、異常を検知するものであるダム管理装置の盗難防止警報装置である。
【００１０】
請求項２の本発明では、警報局の異常状態の検知は、警報局を構成するそれぞれの装置と警報局表示・検知装置とを警報ケーブルで接続し、警報ケーブルは、警報局を構成するそれぞれの装置と警報局表示・検知装置とを常時通電状態で接続する切断検知回路と、警報局を構成するそれぞれの装置と警報局表示・検知装置とを非通電状態で接続する短絡検知回路の２回路を有し、そのいずれかの回路で異常が生じた場合に、異常を検知する。そのため、警報局を構成するそれぞれの装置（部品）と接続する電線を単純に切断した場合のみならず、ニッパ等で切断して回路を短絡させた場合においても異常状態を検出することができるため、確実に異常状態を検知することができる。
【００１１】
請求項３の本発明は、監視局と警報局との交信は、無線通信で行われるダム管理装置の盗難防止警報装置である。
【００１２】
請求項３の本発明では、監視局と警報局との交信は、無線通信で行われるため、遠隔地でも途中の断線等の恐れがなく、メンテナンスが容易であり、設備も安価であり、確実に警報を発することができる。
【００１３】
請求項４の本発明は、警報局の周辺地域に異常を知らせる方法が警報音の発生とセンサーライトの点灯であるダム管理装置の盗難防止警報装置である。
【００１４】
請求項４の本発明では、警報局の周辺地域に異常を知らせる方法が警報音の発生とセンサーライトの点灯であるため、昼間でも夜間でも警報局の付近に簡易な方法で確実に異常状態を知らせることができ、特に夜間では遠方まで知らせることができ、警告と盗難防止等に優れている。
【００１５】
請求項５の本発明は、警報局から監視局へ異常が発信された場合は、監視局は、監視局警報表示装置が、警報音の吹鳴と、異常ランプの点灯と、表示画面に表示及び警報内容を紙に印字する警告の少なくとも２つ以上の警告を行なうダム管理装置の盗難防止警報装置である。
【００１６】
請求項５の本発明では、警報局から監視局へ異常が発信された場合は、監視局は、監視局警報表示装置が、警報音の吹鳴と、異常ランプの点灯と、表示画面に表示及び警報内容を紙に印字する警告の少なくとも２つ以上の警告を行なう。このため、監視局の監視員がどのような状態にいても確実にその警報を感知することができ、異常状態に対する対応をすることができる。
【００１７】
請求項６の本発明は、警報局から監視局への異常の発信は、複数回自動的に発信されるダム管理装置の盗難防止警報装置である。
【００１８】
請求項６の本発明では、警報局から監視局への異常の発信は、複数回自動的に発信されるため、異常状態の発信が確実に行われて、受信も確実に行われることができ、監視局の監視員に伝達することができる。
【００１９】
請求項７の本発明は、警報局から監視局へ異常が発信された場合に、所定時間内に監視局で状態確認の処置が取られない場合は、監視局から外部に自動的に警報を発信するダム管理装置の盗難防止警報装置である。
【００２０】
請求項７の本発明では、警報局から監視局へ異常が発信された場合に、所定時間内に監視局で状態確認の処置が取られない場合は、監視局から外部に自動的に警報を発信するため、監視局に監視員が不在の場合でも確実に、他の所定の外部の人員に異常状態を知らせることができ、異常状態の処置を確実に取ることができる。
【００２１】
請求項８の本発明は、警報局の異常状態の検知は、警報局内に人が接近または進入したときに検知するダム管理装置の盗難防止警報装置である。
【００２２】
請求項８の本発明では、警報局内に人が接近または進入したときに警報局の異常状態を検知することができるため、警報局の装置に触れる前に警報を発することができ、不審者に警告して威嚇することができ、盗難防止に有効である。
【００２３】
請求項９の本発明は、警報局の異常状態の検知は、警報局の扉が開いたときに検知するダム管理装置の盗難防止警報装置である。
【００２４】
請求項９の本発明では、警報局の異常状態の検知は、警報局の扉が開いたときに検知するため、警報局に不審者が進入直前に検知して警報を発することができ、盗難防止に有効である。
【００２５】
請求項１０の本発明は、警報局の異常状態の検知は、外部から警報局への送電が停止したときに検知するダム管理装置の盗難防止警報装置である。
【００２６】
請求項１０の本発明では、外部から警報局への送電が停止したときに検知するため、外部からの電源を遮断して、警報局の装置を取り出す場合にすぐに警報を発することができる。また、外部からの送電が停止した場合は、正常に警報局から流域に警報を発信することができないが、その異常状態に対してすぐに対応することができる。
【発明の効果】
【００２７】
警報局は、警報局受信機と、警報局表示・検知装置及び警報局送信機を有しているため、ダムの放水等の所定の警報をダムの流域の住民等に的確に通報することができる。警報局の異常状態を警報局表示・検知装置で検知して、周辺地域に異常を知らせることができるため、部品の盗難を防止して、作動不良の早期回復をすることができる。
監視局に警報局送信機から警報局の異常状態の警報を送信することができるため、警報局から離れた監視局で、警報局の異常状態を直ちに知ることができ、異常状態の対応を直ちに採ることができる。
【発明を実施するための最良の形態】
【００２８】
本発明の実施の形態を図面に基づき説明する。
図１は、本発明のダム管理装置１の盗難防止警報装置の構成を示す模式図である。ダム管理装置１は、監視局１０と複数の警報局２０から構成される。監視局１０は、通常ダムサイトの近くに設置されて、ダムの水量や上流の降水状態等を監視しており、監視員が常時駐在する場合や、昼間は常駐する場合が多い。警報局２０は、監視局１０から離れたダムの河川の上流や下流に多数設置され、上流の場合は、降水量を観測し連絡するテレメーター子局等であり、下流の場合はダムの放流の警告を下流の流域の住民や釣り人等に通知する放流警報子局等である。
【００２９】
監視局１０は、監視局送信機１１、監視局受信機１２及び監視局表示装置１３から構成されている。
監視局送信機１１は、監視局１０からの信号を警報局２０に無線で送信するものであり、監視局表示装置１３と接続されている。監視局受信機１２は、後述する警報局２０の警報を無線で受信するものであり、監視局表示装置１３と接続されている。
【００３０】
監視局表示装置１３には、図４に示す点灯パネル１４、表示パネル１５及び印字プリンター１６を有している。
点灯パネル１４は、それぞれ扉開放中、拡声器異常、太陽電池異常、商用電源断、点検の表示とその表示に対応する場所にＬＥＤランプが取付けられており、通常は点灯しないが、該当する部分の異常が生じた場合にそのＬＥＤランプが点灯し、異常個所を表示することができる。
【００３１】
表示パネル１５は、図５に示すように、液晶の表示画面で構成され、年月日、時分秒とその表示する警報局２０の局番及び異常の有無とその異常の内容を表す項目が数字で表示される。この表示は、それぞれの警報局２０を順次表示して、全ての警報局２０の状態を表示することができる。警報局２０の識別は、それぞれ２桁の数字であるグループ番号と局番号の組み合わせにより行うことができる。
【００３２】
印字プリンター１６は、図６に示すように、年月日、時分秒とその表示するダム名、警報局２０の局番と警報局名、及び扉２５、拡声器２６、太陽電池２９、商用電源３０の異常の有無とその内容を表す文字が印刷されて排出される。
また、監視局表示装置１３が警報を受信してから所定時間内に監視員が状態確認をしない場合には、警備会社或いは本社担当部門等にＮＴＴ回線を通じて警報を転送することが可能なように外部と連結されている。
【００３３】
次に、警報局２０について説明する。警報局２０は、上述のように放流警報子局とテレメーター子局の２種類がある。
放流警報子局である警報局２０の監視をする装置は、警報局送信機２１、警報局受信機２２及び警報局表示・検知装置２３を有する。更に、警報局２０は、警報局２０の装置に電気を送る蓄電池２４、警報局２０の周囲を囲むフェンスとその出入り口に設けられた扉２５、異常を音声で知らせる拡声器２６、異常を光で知らせる回転灯２７、警報局２０への不審者の接近を知らせる近接センサー２８、及びこれらの装置のために発電する太陽電池２９と送電する商用電源３０を有している。
【００３４】
また、警報局２０の外にデジタルカメラ、ＴＶカメラ等を設置して警報が発信されると不審者やその状況を自動的に撮影して、警報局表示・検知装置２３の内部に録画することを行なってもよい。
【００３５】
警報局送信機２１は、監視局１０へ警報局２０の通常状態と異常状態等の信号を送るものであり、警報局表示・検知装置２３と接続されている。監視局受信機１２は、監視局１０の信号を受信するものであり、警報局表示・検知装置２３と接続されている。
警報局表示・検知装置２３は、扉２５、拡声器２６、回転灯２７、近接センサー２８、太陽電池２９及び商用電源３０の通常状態又は異常状態を検知して、表示するとともに警報局送信機２１が通常状態及び異常状態を監視局１０に送信するように警報局送信機２１に信号を送る。
【００３６】
テレメーター子局である警報局２０の構成も、放流警報子局とほぼ同様に扉２５、拡声器２６、回転灯２７、近接センサー２８、太陽電池２９及び商用電源３０を有しているが、その他に、雨量計、温度計等の観測装置とその観測結果を監視局１０に送信する送信機が設置されている。
【００３７】
次に、警報局２０の作動について図に基づき説明する。
異常状態が発生すると、扉２５、拡声器２６、回転灯２７、近接センサー２８、太陽電池２９又は商用電源３０の異常状態を監視局１０に送信する。この送信は、警報局２０毎に数秒程度で行なうことができ、各警報局２０が異常発生毎に監視局１０に送信する。監視局１０は、監視局表示装置１３の表示パネル１５に表示するとともに、印字プリンター１６が印字する。
【００３８】
異常状態が発生する場合は、例えば、警報局２０の出入口である扉２５に不審者が接近すると、扉２５に取付けられた近接センサー２８が感知して、警報局表示・検知装置２３に異常信号を送り、警報局表示・検知装置２３から回転灯２７に信号を送り点灯させるとともに、拡声器２６にも信号を送り警報ブザー音を吹鳴させる。この拡声器２６と回転灯２７にはタイマーを設けて、所定時間後に自動的に警報ブザー音を吹鳴と点灯をとめることができる。例えば、警報ブザー音は１分〜６０分程度で止め、回転灯２７は、１０分〜１２時間程度で止めることができる。
【００３９】
回転灯２７と警報ブザーで注意し、威嚇して盗難を防止するためである。なお、拡声器２６以外に警報ブザーを設けてもよい。
そして、図１に示すように、警報局表示・検知装置２３からの信号により警報局送信機２１は、監視局１０へ異常信号を無線で送信する。この異常信号は、１分間隔で３回送信される。３回送信するのは確実に送信するためである。
【００４０】
監視局１０は、監視局受信機１２で警報局２０からの異常信号を受信して、監視局表示装置１３にその信号を送る。監視局表示装置１３は、異常信号を受信すると、まず警報ブザーを吹鳴する。監視局１０の職員が異常をすぐに感知することができるようにするためである。そして、同時に、図４に示すように、警報局表示・検知装置２３の点灯パネル１４のＬＥＤランプを点灯させて、異常部分を知らせる。
なお、監視局表示装置１３には、リセットスイッチを設けることができ、監視員が異常を確認した後にこのリセットスイッチを押すと警報ブザーの吹鳴を止めることができる。そして、異常状態が復旧した後はＬＥＤランプを消灯させることができるようにすることができる。
【００４１】
更に、図５に示すように、表示パネル１５の液晶画面に、警報信号の入力の年月日、時間、警報局２０の局番と異常項目を所定の番号で表示する。異常の場所と内容を監視員に知らせるためである。表示パネル１５の表示と同時に、印字プリンター１６に警報信号の入力の年月日、時間、警報局２０の状態を印字する。このため異常状態の発生の記録を残すことができる。
なお、この監視局表示装置１３の警報ブザー、点灯パネル１４、表示パネル１５、印字プリンター１６は全て装着することが好ましいが、少なくとも上記のうち２つ以上の装着は必要である。警報を監視員に確実に伝達するためである。
【００４２】
不審者が更に扉２５を開けて警報局２０に侵入すると、扉２５に取付けられた開閉スイッチが働き、警報局表示・検知装置２３に異常信号を送信する。このスイッチは通常は閉じられており、扉２５が開かれると開くようにセットされている。上記の近接センサー２８が扉２５に取付けられていない場合は、この扉２５の開閉スイッチが最初に働く。
警報局２０から異常信号を受信した監視局１０の監視局受信機１２は、近接センサー２８の場合と同様に、監視局表示装置１３にその信号を送り、監視局表示装置１３は、警報ブザーが吹鳴すると同時に、点灯パネル１４の「扉開放中」のＬＥＤランプを点灯させ、表示パネル１５に異常状態を表示するとともに、印字プリンター１６に異常状態を印字する。
【００４３】
次に、太陽電池２９の警報装置について述べる。太陽電池２９には警報装置として近接センサー２８と警報ケーブル４０が取付けられている。近接センサー２８は、扉２５に取付けられたものと同様に太陽電池２９に接近した不審者に対して作動する。
この警報ケーブル４０は、多芯ケーブルであり、切断検知回路４１と短絡検知回路４２から構成されている。切断検知回路４１は、警報ケーブル４０の中の２本の電線がループ状に閉じた回路で、その２本の電線に常時少量の電流（例えば７０ｍＡ程度）が流れている回路である。短絡検知回路４２は、２本の平行に延びた線の先端は開放され、閉じられていない回路であり、常時低電圧（例えば１２Ｖ程度）が両方の線にかけられているが、電流は流れていない。
【００４４】
この警報ケーブル４０は、本実施例では、切断検知回路４１と短絡検知回路４２がまとめて１本の多芯ケーブル状に構成されて、太陽電池２９の内部を通過して、容易に取外すことができないように取付けられる。
不審者が太陽電池２９を持ち去ろうとする場合には、この警報ケーブル４０をニッパ等で切断するが、警報ケーブル４０の短絡検知回路４２を切断するときに、ニッパの刃先が短絡検知回路４２をショートさせて電流が流れる。そのとき、図３に示すように、スイッチ４４が作動して警報局表示・検知装置２３に信号が流れて、警告が流れ続けるようになり、警報局表示・検知装置２３に異常信号が送られる。警報局表示・検知装置２３は、この異常信号を警報局送信機２１から監視局１０へ無線で送信する。このように、警報ケーブル４０が金属の道具で切断されると直ちに異常信号を送信することができる。なお、異常信号を確認した後は、スイッチ４４を切断して、警報信号をとめることができる。
【００４５】
警報ケーブル４０の切断検知回路４１は、例えば、警報ケーブル４０が引きちぎられて、切断検知回路４１が切断されて電流が流れなくなった場合には、リレー４３が働き、上記と同様に、異常信号を警報局表示・検知装置２３に送信する。この異常信号を警報局送信機２１から監視局１０へ無線で送信する。これによって、上記の短絡検知回路４２をショートさせないで警報ケーブル４０を切断させた場合においても異常状態を検知することができる。このように太陽電池２９からの異常信号を受けた監視局表示装置１３の点灯パネル１４には、扉２５と同様に、「太陽電池異常」に対応する部分のＬＥＤランプが点灯し、印字プリンター１６が印字する。
【００４６】
次に、拡声器２６の警報装置について述べる。拡声器２６にも太陽電池２９と同様に、警報装置として近接センサー２８と警報ケーブル４０が取付けられている。近接センサー２８は、太陽電池２９に取付けられたものと同様に拡声器２６に接近した不審者に対して作動する。警報ケーブル４０も同様に拡声器２６の内部を通過するように取付けられる。拡声器２６を持ち去ろうとする場合に、切断検知回路４１と短絡検知回路４２のいずれか、或いは両方が作動して警報を警報局表示・検知装置２３へ発することができる。その後上記と同様に警報局送信機２１から監視局１０へ送信されて監視局表示装置１３の警報ブザーや点灯パネル１４、等が作動する。
なお、上記回路には、雷等の外部からの影響を避けるために、緩衝リレーを介在させている。
【００４７】
また、警報局２０には、太陽電池２９の電気のみではなく、商用電源３０から電気が供給されている場合が多い。この商用電源３０を供給する電線が切断される場合は、警報局２０の作動が異常となるため、警報を発する必要がある。このため、商用電源３０から受電できなくなった場合、即ち商用電源３０の電線に電流が流れなくなった場合には、リレー４３が働き、直ちに異常信号を警報局表示・検知装置２３に送る。そして、太陽電池２９等と同様に監視局１０に異常信号を送信する。
【００４８】
なお、点検等で警報局２０内に点検者が入る場合があるが、この場合に、点検者は所定の手続きを行い、この警報装置を解除する必要がある。このため、警報局２０の警報装置を点検者が解除できる点検スイッチ４５を設ける。
また、異常状態の点検と処置が終わったとき、或いは異常状態の確認が終わったときには、監視局１０の監視局表示装置１３を元に戻し、警報局２０の回転灯２７、拡声器２６と警報局表示・検知装置２３の状態を元に戻すことができる。
【図面の簡単な説明】
【００４９】
【図１】本発明のダム管理装置の監視局と警報局の構成を示す模式図である。
【図２】本発明のダム管理装置の監視局と警報局の作動状態を示す模式図である。
【図３】本発明の警報ケーブルの作動状態を示す模式図である。
【図４】本発明の監視局表示装置の表示状態を示す図である。
【図５】本発明の監視局表示装置の表示パネルの表示状態を示す図である。
【図６】本発明の監視局表示装置の印字プリンターの印字した内容を示す図である。
【符号の説明】
【００５０】
１０  監視局
１１  監視局送信機
１２  監視局受信機
１３  監視局表示装置
１４  点灯パネル
１５  表示パネル
１６  印字プリンター
２０  警報局
２１  警報局送信機
２２  警報局受信機
２３  警報局表示・検知装置
２５  扉
２６  拡声器
２７  回転灯
２８  近接センサー
２９  太陽電池
４０  警報ケーブル
【図１】
2007213374.tif 000003
【図２】
2007213374.tif 000004
【図３】
2007213374.tif 000005
【図４】
2007213374.tif 000006
【図５】
2007213374.tif 000007
【図６】
2007213374.tif 000008